(57)【特許請求の範囲】
【請求項１】
マウスピースの外周に複数回折り返し巻回されリードを前記マウスピースに固定する紐と、この紐が折り返し挿通される複数の紐挿通用孔をそれぞれ有する一対の締付け部材と、これらの締付け部材の両端部をそれぞれ連結し、両締付け部材の間隔を狭めることにより前記紐を緊締する一対の連結部材とを備え、
前記一対の締付け部材の紐挿通用孔は、締付け部材の軸線に対して傾斜し、その傾斜方向が互いに逆になるように形成された斜孔であることを特徴とするシングルリード楽器用リガチャー。
【請求項２】
請求項１記載のシングルリード楽器用リガチャーにおいて、
前記紐の折り返し部は、前記締付け部材の外周面に沿って折り返されることにより、前記締付け部材を前記マウスピースから離間させていることを特徴とするシングルリード楽器用リガチャー。
【請求項３】
請求項１または２記載のシングルリード楽器用リガチャーにおいて、
前記紐の端部は、前記締付け部材の紐挿通用孔の両端の孔部内に収納されることを特徴とするシングルリード楽器用リガチャー。
【発明の詳細な説明】
【技術分野】
【０００１】
本発明は、マウスピースにリードを固定するシングルリード楽器用リガチャーに関するものである。
【背景技術】
【０００２】
サクソフォーン、クラリネット等のシングルリード楽器は、マウスピースにリードをリガチャー（締め具）によって固定し、息を吹き込む際リードが振動することにより発音するように構成されている。
【０００３】
リガチャーにおける固定部材の材質としては、大別するとステンレス、銅、銀、真鍮等の金属製のもの（例えば、特許文献１参照）と、紐、皮革、布等の非金属製のものとが知られている（例えば、特許文献２参照）。
【０００４】
固定部材を金属製としたリガチャーでは、リードをマウスピースに対して強固に固定できる利点を有する反面、リードの振動によるリガチャーの共振を完全には抑えることができず、音色が硬くなったり、濁りが生じる。一方、固定部材を非金属製としたリガチャーでは、リードの振動によって共振しないため、金属製の固定部材に比べて音の濁りを減少させることができ、軽やかで優しい音色を得ることができる。
【０００５】
【特許文献１】特開２００１−７５５５６号公報
【特許文献２】特開２００６−１６３３８２号公報
【発明の開示】
【発明が解決しようとする課題】
【０００６】
しかしながら、上記した特許文献２に記載されているリガチャーは、複数本の紐と、これらの紐に固定されたプレートと、各紐の両端が連結された一対の締付け部材と、これらの締付け部材を連結する１本のねじ体とを備え、このねじ体の締付け操作によって一対の締付け部材を互いに接近させることにより紐を緊締し、プレートをリードに固定するようにしている。このため、複数本の紐を同じ締付け力で緊締することが難しく、いずれか一方の紐が緩んでいるとプレートをリードに対して安定した状態で固定することができず、また締付け部材をマウスピースに接触させているので、リードの振動がマウスピースを介して締め付け部材やねじ体に伝達されると、これらが楽器の音色に悪影響を及ぼすという問題があった。
【０００７】
また、図９に示すように、リガチャー１を紐２だけで構成し、この紐２をマウスピース３とリード４に手で複数回巻き付けてリード４をマウスピース３に固定したものも知られている。しかし、このようなリガチャー１においては、紐２を巻き付けて両端を固定する作業が煩わしく、時間が掛かるという問題があった。
【０００８】
本発明は、上記した従来の問題を解決するためになされたもので、その目的とするところは、紐全体に均等な力を加えることができ、リードをマウスピースに対して均一な圧力で押し付けることができるようにしたシングルリード楽器用リガチャーを提供することにある。
【課題を解決するための手段】
【０００９】
上記目的を達成するために本発明は、マウスピースの外周に複数回折り返し巻回されリードを前記マウスピースに固定する紐と、この紐が折り返し挿通される複数の紐挿通用孔をそれぞれ有する一対の締付け部材と、これらの締付け部材の両端部をそれぞれ連結し、両締付け部材の間隔を狭めることにより前記紐を緊締する一対の連結部材とを備え、
前記一対の締付け部材の紐挿通用孔は、締付け部材の軸線に対して傾斜し、その傾斜方向が互いに逆になるように形成された斜孔であるようにしたものである。
【００１０】
また、本発明は、上記発明において、前記紐の折り返し部が前記締付け部材の外周面に沿って折り返されることにより、前記締付け部材を前記マウスピースから離間させているものである。
【００１２】
また、本発明は、上記発明において、前記紐の端部は、前記締付け部材の紐挿通用孔の両端の孔部内に収納されるものである。
【発明の効果】
【００１５】
本発明においては、剛体がマウスピースとリードに接触せず、紐のみによって締め付けているから、リードの振動によって共振せず、締付け部材および一対の連結部材への振動の伝達を完全に遮断する。したがって、軽やかで濁りのない音色を得ることができ、楽器の音質を向上させることができる。また、一対の締付け部材の紐挿通用孔が締付け部材の軸線に対して傾斜した斜孔であって、その傾斜方向が互いに逆になるように形成されているので、マウスピースとリードに対して紐の緊締部を整列させることができる。
【００１６】
本発明においては、紐の折り返し部によって締付け部材をマウスピースから離間させているので、リードの振動がマウスピースを介して締付け部材や連結部材に伝達されることがなく、これら部材の共振を防止することができる。
【００１７】
本発明においては、一対の締付け部材は連結部材の締め付け操作によって接近させることにより、紐に張力を付与する。この紐の張力は、マウスピースとリードを締め付ける（緊締）締付け力（緊締力）として作用する。紐は締付け部材の紐挿通用孔に移動可能に折り返し挿通されているので、張力によって移動することにより、マウスピースにテーパがあったとしても緊締力は紐全体にわたって均一となる。したがって、リードを均一な圧力でマウスピースに押し付けることができ、音質の良好な音を発生させることができる。
【発明を実施するための最良の形態】
【００２１】
以下、本発明を図面に示す実施の形態に基づいて詳細に説明する。
図１はクラリネットの発音部とリガチャーの分解斜視図、図２はリガチャーをマウスピースに装着した状態を示す上下反転させた平面図、図３はリガチャーをマウスピースに装着した状態を示す底面図、図４は図２のＩＶ−ＩＶ線断面図、図５は第１の締付け部材の断面図、図６は第２の締付け部材の断面図、図７は連結部材の正面図、図８は第１、第２の締付け部材の紐挿通用孔に対する紐の折り返し挿通を説明するための図である。これらの図において、１０はシングルリード楽器であるクラリネットの発音部で、マウスピース１１とリード１２とで構成され、リード１２をリガチャー１３によってマウスピース１１の外周に着脱可能に固定している。
【００２２】
前記マウスピース１１は、一般にベークライトや合成樹脂によって一体に形成されたもので、前端側（演奏者側）が嘴状に尖った円錐形の本体１１Ａと、この本体１１Ａの吹込管側端面に一体に突設された筒状の接続部１１Ｂとからなり、本体１１Ａの下面には平坦部（テーブル）１１Ｃと、吹込口１１Ｄとが形成されている。平坦部１１Ｃは、リード１２が固定される部分で、本体１１Ａの一部に形成され、前端側に前記吹込口１１Ｄが形成されている。前記接続部１１Ｂは、マウスピース１１をクラリネットの図示を省略した吹込管に着脱自在に接続するための部分である。
【００２３】
前記リード１２は、天然の葦、合成樹脂等によって略長方形の板状体に形成されており、基端部１２Ａが前記リガチャー１３によってマウスピース１１の平坦部１１Ｃに固定され、先端部１２Ｂが薄肉の振動部を形成し前記吹込口１１Ｄを覆っている。
【００２４】
前記リガチャー１３は、マウスピース１１の本体１１Ａの外周とリード１２の基端部１２Ａに複数回折り返し巻回され、リード１２を前記マウスピース１１の平坦部１１Ｃに固定する紐１４と、この紐１４が複数回折り返し挿通される一対の締付け部材（以下、第１、第２の締付け部材という）１５、１６と、これらの締付け部材１５、１６の間隔を狭めることにより前記紐１４を緊締する一対の連結部材１７、１７とで構成されている。
【００２５】
図５において、前記第１の締付け部材１５は、円柱状に形成され、８つの紐挿通用孔１８ａ〜１８ｈと、前後一対からなる取付孔１９、１９とを有している。紐挿通用孔１８ａ〜１８ｈは、紐１４の外径より若干大きい孔径を有し、第１の締付け部材１５の軸線方向に並設されている。また、紐挿通用孔１８ａ〜１８ｈは、軸線が第１の締付け部材１５の軸線に対して同一角度で傾斜した斜孔からなり、紐１４のマウスピース１１とリード１２に対する巻回ピッチＰ1 の２倍の間隔Ｐ2 をおいて形成されている。さらに、紐挿通用孔１８ａ〜１８ｈのうち、両端の２つの紐挿通用孔１８ａ、１８ｈは、紐１４の抜けを防止するために異径孔に形成されている。すなわち、紐挿通用孔１８ａは、大径孔部１８ａ-1と小径孔部１８ａ-2とで構成されている。同じく、紐挿通用孔１８ｈは、大径孔部１８ｈ-1と小径孔部１８ｈ-2とで構成されている。ただし、紐挿通用孔１８ａは、リガチャー１３をマウスピース１１とリード１２に装着したとき、大径孔部１８ａ-1が小径孔部１８ａ-2より外側に位置するように形成され、紐挿通用孔１８ｈは、大径孔部１８ｈ-1が小径孔部１８ｈ-2より内側に位置するように形成されている。残り６つの紐挿通用孔１８ｂ〜１８ｇは、全て同一で、紐１４の外径より若干大きく、両端の紐挿通用孔１８ａ、１８ｈの小径孔部１８ａ-2、１８ｈ-2と同一の孔径を有している。
【００２６】
前記紐１４の各端部１４ａ、１４ｂには、図８に示すように第１の締付け部材１５の紐挿通用孔１８ａ、１８ｈからの抜けを防止するために、小径孔部１８ａ-2、１８ｈ-2より大きい球状の抜け防止部２０、２１がそれぞれ形成され、大径孔部１８ａ-1、１８ｈ-1内にそれぞれ収納されている。このような抜け防止部２０、２１は、紐１４が熱可塑性樹脂の場合、各端部１４ａ、１４ｂに熱を加えて軟化させた後、冷却して球状に硬化させることにより容易に形成することができる。一方、天然繊維の場合は、結び目をつくって抜け防止部とすればよい。
【００２７】
前記一対の取付孔１９は、第１の締付け部材１５の各端部に、軸線が第１の締付け部材１５の軸線と直交するようにそれぞれ形成されている。また、これらの取付孔１９は、前記紐挿通用孔１８ａ〜１８ｈと同一平面内に位置するように形成されている。さらに、各取付孔１９の一端部には、大径の座繰り孔１９ａが形成されている。座繰り孔１９ａは、紐挿通用孔１８ａの大径孔部１８ａ-1側に位置するように形成されている。
【００２８】
図６において、前記第２の締付け部材１６は、第１の締付け部材１５と同一の長さと太さの円柱状に形成されてはいるが、全て同一の孔径からなる７つの紐挿通用孔２２ａ〜２２ｇが形成されている点で異なっている。これらの紐挿通用孔２２ａ〜２２ｇは、紐１４の外径より若干大きく、前記第１の締付け部材１５の紐挿通用孔１８ａ、１８ｈの小径孔部１８ａ-2、１８ｈ-2、および紐挿通用孔１８ｂ〜１８ｇの孔径と同一の孔径を有し、締付け部材１６の軸線方向に並設されている。また、紐挿通用孔２２ａ〜２２ｇは、軸線が第２の締付け部材１６の軸線に対して同一角度で傾斜した斜孔からなり、紐１４のマウスピース１１とリード１２に対する巻回ピッチＰ1 の２倍の間隔Ｐ2 をおいて形成されている。また、これらの紐挿通用孔２２ａ〜２２ｇの傾斜角度は、第１の締付け部材１５の紐挿通用孔１８ａ〜１８ｈの傾斜角度と同一ではあるが、逆方向に傾斜している。
【００２９】
さらに、第２の締付け部材１６には、前後一対の取付孔２３、２３が形成されている。これらの取付孔２３は、第１の締付け部材１５の取付孔１９と同一形状で、第２の締付け部材１６の各端部に、軸線が第２の締付け部材１６の軸線と直交するようにそれぞれ形成されている。また、各取付孔２３には大径の座繰り孔２３ａがそれぞれ形成されている。この座繰り孔２３ａは、第１、第２の締付け部材１５、１６を平行に配置して紐１４を紐挿通用孔１８ａ〜１８ｈ、２２ａ〜２２ｇに折り返し挿通したとき、取付孔２３の外側となる開口端縁側に形成されている。
【００３０】
図７において、前記連結部材１７は、ねじ本体２４Ａと頭部２４Ｂとからなるねじ体２４と、このねじ本体２４Ａの先端部に形成された雄ねじ部２４Ｃに螺合する円筒状のナット２５とで構成されている。
【００３１】
このようなリガチャー１３によってリード１２をマウスピース１１の平坦部１１Ｃに固定する際には、予めリガチャー１３を図１に示す形状に組み立てる。組み立てに際しては、図３および図８に示すようにリガチャー１３をマウスピース１１に装着した状態と同じ状態になるように第１、第２の締付け部材１５、１６を水平かつ平行に配置する。すなわち、取付孔１９、２３の座繰り孔１９ａ、２３ａが外側を向くように第１、第２の締付け部材１５、１６を配置し、紐挿通用孔１８ａ〜１８ｈと紐挿通用孔２２ａ〜２２ｇの傾斜方向を逆にする。
【００３２】
次に、紐１４を図８に示すように第１、第２の締付け部材１５、１６の紐挿通用孔１８ａ〜１８ｈ、２２ａ〜２２ｇに順次折り返し挿通する。紐１４を挿通する際には、予め紐１４の挿入側端１４ａとは反対側の端（他端）１４ｂに抜け防止部２１を加熱軟化または結び目によって形成しておく。抜け防止部２１を形成した後、紐１４の挿入側端１４ａを第１の締付け部材１５の紐挿通用孔１８ａに第１の締付け部材１５の外側から挿通し、抜け防止部２１を紐挿通用孔１８ａの大径孔部１８ａ-1に係入する。
【００３３】
紐挿通用孔１８ａに挿通された紐１４は、下方に垂れ下がり、挿入側端１４ａが第２の締付け部材１６の下方に導かれる。そして、挿入側端１４ａを第２の締付け部材１６の紐挿通用孔２２ａに外側から挿通して折り返し再び第１の締付け部材１５の下方に導く。そして、挿入側端１４ａを第１の締付け部材１５の紐挿通用孔１８ｂに外側から挿通して折り返し第２の締付け部材１６の下方に導き、紐挿通用孔２２ｂに外側から挿通して折り返し第１の締付け部材１５の下方に導く。
【００３４】
このようにして、紐１４を第１、第２の締付け部材１５、１６の紐挿通用孔１８ａ〜１８ｇと第２の締付け部材１６の紐挿通用孔２２ａ〜２２ｇに交互に順次挿通して折り返し、第１の締付け部材１５の下方に導かれた挿入側端１４ａを紐挿通用孔１８ｈに外側から挿通した後、加熱軟化または結び目によって抜け防止部２０を形成し、紐挿通用孔１８ｈの大径孔部１８ｈ-1内に収納する。
【００３５】
次に、紐挿通用孔１８ａと２２ａとの間の紐部分Ａ1 、紐挿通用孔１８ｂと２２ａとの間の紐部分Ａ2 、紐挿通用孔１８ｂと２２ｂとの間の紐部分Ａ3 、・・・紐挿通用孔１８ｈと２２ｇとの間の紐部分Ａ14を略均等な長さに調整し、マウスピース１１とリード１２を緊締する部分（以下、緊締部ともいう）とする。緊締部Ａ1 〜Ａ14の長さ調整は、適宜な太さの棒または指を緊締部Ａ1 〜Ａ14の上に載せてこれらを下方に強制的に押し下げて移動させることにより容易に行なうことができる。このようにして緊締部Ａ1 〜Ａ14の長さを調整すると、緊締部Ａ1 〜Ａ14はマウスピース１１の最大外径より若干大きい円弧形状（Ｃ字形状）となる。ただし、第１、第２の締付け部材１５、１６の間隔によっては、Ｖ字状またはＵ字状に近い形状となって垂れ下がる。
【００３６】
次に、第１、第２の締付け部材１５、１６を一対の連結部材１７、１７によって連結する。すなわち、ねじ本体２４を第１、第２の締付け部材１５、１６の取付孔１９、２３にそれぞれ挿通し、その雄ねじ部２４Ｃにナット２５をそれぞれ螺合することにより、両締付け部材１５、１６を連結することができ、もってリガチャー１３の組み立てが完了する。
【００３７】
組み立てられたリガチャー１３をマウスピース１１に装着するときは、マウスピース１１を上下に反転させて平坦部１１Ｃの上にリード１２を位置決めして載置した後、再びマウスピース１１を反転させてリード１２を下にする。一方、リガチャー１３は正常な状態で保持し、垂下している緊締部Ａ1 〜Ａ14の空間内にマウスピース１１とリード１２を、マウスピース１１の前端側から差込み、緊締部Ａ1 〜Ａ14を互いに重なり合わないように、望ましくは図３に示すように隙間なく整列させてリード１２の基端部１２Ａより後方側に位置させる。
【００３８】
次に、この状態でナット２５を締め付けて第１、第２の締付け部材１５、１６の間隔を狭め、紐１４に張力を付与する。これにより、紐１４の緊締部Ａ1 〜Ａ14が小径化してマウスピース１１とリード１２を緊締し、リード１２をマウスピース１１に固定する。このとき、紐１４の第１、第２の締付け部材１５，１６による折り返し部分１４Ｃ（図４）はすべて摺動により移動可能であるため、ねじ本体２４を締め付けたとき、緊締部Ａ1 〜Ａ14の長さが全体的に調整されて均一な張力が加わり、マウスピース１１とリード１２を均等な締付け力で緊締することができ、良好な音質を得ることができる。すなわち、緊締部Ａ1 〜Ａ14の一部が緩んでいると、リード１２ががたつき音質に悪影響を及ぼすが、本発明によるリガチャー１３によればそのおそれがない。
【００３９】
また、紐１４の折り返し部１４Ｃを第１、第２の締付け部材１５、１６の外周面に沿って折り返し、この折り返し部１４Ｃによって図４に示すように第１、第２の締付け部材１５、１６をマウスピース１１から離間させ、言い換えればマウスピース１１と第１、第２の締付け部材１５、１６を非接触な状態に保持しているので、リード１２の振動がマウスピース１１を介して締付け部材１５、１６や連結部材１７に伝達されるのを防止することができる。このため、これら部材がリード１２の振動によって共振することがなく、楽器の音質を向上させることができる。
【００４０】
なお、上記した実施の形態は、１本の紐１４を第１、第２の締付け部材１５、１６の紐挿通用孔１８ａ〜１８ｈ、２２ａ〜２２ｇに折り返し挿通した例を示したが、本発明はこれに何ら特定されるものではなく、前後２本の紐を用いてリード１２の前半側と後半側を別々に緊締するようにしてもよい。
【００４１】
また、上記した実施の形態は、第１の締付け部材１５に８つの紐挿通用孔１８ａ〜１８ｈを設け、第２の締付け部材１６に７つの紐挿通用孔２２ａ〜２２ｇを設けた例を示したが、その数に何ら特定されるものではなく、適宜増減することができる。
また、紐１４の各端部を第１、第２の締付け部材１５、１６に係止したが、いずれか一方の締付け部材に両端を係止させてもよい。
【００４２】
また、本発明は、紐１４の長さを変えることであらゆるサイズのマウスピース、例えばクラリネット、バスクラリネット、Ｅｂクラリネット等にも取付けることができる。
【００４３】
さらに、上記した実施の形態は、２種類の締付け部材１５、１６を用いた例を示したが、これは紐挿通通用孔１８ａ〜１８ｈと２２ａ〜２２ｈのピッチが半ピッチずれるためであり、これに何ら特定されるものではなく、製造コストを低減するために一種類の締付け部材を２本用いてもよい。
【図面の簡単な説明】
【００４４】
【図１】サクソフォーンの発音部とリガチャーの上下反転させた分解斜視図である。
【図２】リガチャーをマウスピースに装着した状態を示す平面図である。
【図３】リガチャーをマウスピースに装着した状態を示す底面図である。
【図４】図２のＩＶ−ＩＶ線断面図である。
【図５】第１の締付け部材の断面図である。
【図６】第２の締付け部材の断面図である。
【図７】連結部材の正面図である。
【図８】第１、第２の締付け部材の紐挿通用孔に対する紐の折り返し挿通を説明するための図である。
【図９】リガチャーの従来例を示す平面図である。
【符号の説明】
【００４５】
１０…発音部、１１…マウスピース、１２…リード、１３…リガチャー、１４…紐、１４Ｃ…折り返し部、１５…第１の締付け部材、１６…第２の締付け部材、１７…連結部材、１８ａ〜１８ｈ…紐挿通用孔、２０、２１…抜け防止部、２２ａ〜２２ｇ…紐挿通用孔、１９、２３…取付孔、２４…ねじ体、２５…ナット、Ａ1 〜Ａ14…緊締部。
【図１】
0005320836.tif 000002
【図２】
0005320836.tif 000003
【図３】
0005320836.tif 000004
【図４】
0005320836.tif 000005
【図５】
0005320836.tif 000006
【図６】
0005320836.tif 000007
【図７】
0005320836.tif 000008
【図８】
0005320836.tif 000009
【図９】
0005320836.tif 000010